(57)【要約】【課題】検索結果の表示まで無駄な表示を省略しつつ、ユーザの嗜好に合わせた検索サイトの利用を可能にする情報通信端末及び情報通信システムを提供すること。【解決手段】ＵＲＬにより接続の要求を行う接続要求部５１と、文字列が入力されるテキストボックスを有する検索用ページを表示部に表示するように制御する表示制御部５２と、入力窓に入力された文字列を検索文字列として、検索文字列を含んだＵＲＬにより検索結果を要求する検索結果要求部５３と、検索文字列を記憶する第１の記憶部５４と、検索結果を要求するのに用いた検索文字列を含んだＵＲＬを取得する取得部５５と、取得した検索文字列を含んだＵＲＬと、第１の記憶部５４に記憶されている検索文字列とから、検索文字列が付加されていない検索用ＵＲＬを抽出する抽出部５６と、抽出された検索用ＵＲＬを記憶する第２の記憶部５７とを備える。【選択図】図６
2010079870.tif 000002
【特許請求の範囲】
【請求項１】
任意のＵＲＬが割り当てられているサーバに対して、当該任意のＵＲＬにより接続の要求を行う接続要求手段と、
前記接続の要求を行って前記サーバに接続されたとき、検索文字列が入力可能な検索用画面を表示部に表示するように制御する表示制御手段と、
前記検索用画面にて入力された当該検索文字列を含んだＵＲＬにより、当該検索文字列に基づく検索結果を要求する検索結果要求手段と、
前記検索文字列を記憶する第１の記憶手段と、
前記検索結果を要求する際に用いた検索文字列を含んだＵＲＬを取得する取得手段と、
前記取得した検索文字列を含んだＵＲＬと、前記第１の記憶手段に記憶されている検索文字列とから、検索文字列が付加されていない検索用ＵＲＬを抽出する抽出手段と、
前記抽出された検索用ＵＲＬを記憶する第２の記憶手段とを備えることを特徴とする情報通信端末。
【請求項２】
前記検索結果要求手段は、前記検索用画面とは異なる文字入力画面に文字列が入力され、検索結果を要求するための操作が行われたときには、前記文字入力画面に入力されている文字列を前記第２の記憶手段に記憶されている検索用ＵＲＬに付加したＵＲＬにより、当該文字列に基づく検索結果を要求することを特徴とする請求項１記載の情報通信端末。
【請求項３】
前記表示部に初期画面が表示されている状態において、操作キーが押下され、押下された操作キーに対応する文字列が入力される前記文字入力画面に係るアプリケーションを起動する起動手段を備え、
前記検索結果要求手段は、前記起動手段により前記アプリケーションが起動されて、前記文字入力画面に文字列が入力され、検索結果を要求するための操作が行われたときには、前記文字入力画面に入力されている文字列を前記第２の記憶手段に記憶されている検索用ＵＲＬに付加したＵＲＬにより、当該文字列に基づく検索結果を要求することを特徴とする請求項２記載の情報通信端末。
【請求項４】
前記第２の記憶手段に記憶されている複数の検索用ＵＲＬの中から一の検索用ＵＲＬを選択する選択手段を備え、
前記検索結果要求手段は、前記文字入力画面に入力されている文字列を前記選択された一の検索用ＵＲＬに付加したＵＲＬにより、当該文字列に基づく検索結果を要求することを特徴とする請求項２又は３に記載の情報通信端末。
【請求項５】
サーバと情報通信端末とがネットワークを通じて接続され、前記サーバは、前記情報通信端末からの要求に応じた通信サービスを提供する情報通信システムであって、
前記サーバは、
前記ネットワークを介して前記情報通信端末から送信されてきた要求を受信する受信手段と、
前記受信手段により受信した要求に応じた処理を実行する処理実行手段とを備え、
前記情報通信端末は、
任意のＵＲＬが割り当てられている前記サーバに対して、当該任意のＵＲＬにより接続の要求を行う接続要求手段と、
前記接続の要求を行って前記サーバに接続されたとき、検索文字列が入力可能な検索用画面を表示部に表示するように制御する表示制御手段と、
前記検索用画面にて入力された当該検索文字列を含んだＵＲＬにより、当該検索文字列に基づく検索結果を要求する検索結果要求手段と、
前記検索文字列を記憶する第１の記憶手段と、
前記検索結果を要求する際に用いた検索文字列を含んだＵＲＬを取得する取得手段と、
前記取得した検索文字列を含んだＵＲＬと、前記第１の記憶手段に記憶されている検索文字列とから、検索文字列が付加されていない検索用ＵＲＬを抽出する抽出手段と、
前記抽出された検索用ＵＲＬを記憶する第２の記憶手段とを備えることを特徴とする情報通信システム。
【請求項６】
任意のＵＲＬが割り当てられているサーバに対して、当該任意のＵＲＬにより接続の要求を行う接続要求手段と、
前記接続の要求を行って前記サーバに接続されたとき、検索文字列が入力可能な検索用画面を表示部に表示するように制御する表示制御手段と、
前記表示された検索用画面に対応するソースコードから検索用ＵＲＬを抽出する抽出手段と、
前記抽出された検索用ＵＲＬを記憶する第２の記憶手段と、
を備えることを特徴とする情報通信端末。
【請求項７】
前記検索用画面に入力される検索文字列に基づく結果を要求する検索結果要求手段を有し、
前記検索結果要求手段は、前記検索用画面とは異なる文字入力画面に文字列が入力され、検索結果を要求するための操作が行われたときには、前記文字入力画面に入力されている文字列を前記第２の記憶手段に記憶されている検索用ＵＲＬに付加したＵＲＬにより、当該文字列に基づく検索結果を要求することを特徴とする請求項６に記載の情報通信端末。
【請求項８】
前記表示部に初期画面が表示されている状態において、操作キーが押下され、押下された操作キーに対応する文字列が入力される前記文字入力画面に係るアプリケーションを起動する起動手段を備え、
前記検索結果要求手段は、前記起動手段により前記アプリケーションが起動されて、前記文字入力画面に文字列が入力され、検索結果を要求するための操作が行われたときには、前記文字入力画面に入力されている文字列を前記第２の記憶手段に記憶されている検索用ＵＲＬに付加したＵＲＬより、当該文字列に基づく検索結果を要求することを特徴とする請求項７に記載の情報通信端末。
【請求項９】
前記第２の記憶手段に記憶されている複数の検索用ＵＲＬの中から一の検索用ＵＲＬを選択する選択手段を備え、
前記検索結果要求手段は、前記文字入力画面に入力されている文字列を前記選択された一の検索用ＵＲＬに付加したＵＲＬにより、当該文字列に基づく検索結果を要求することを特徴とする請求項７又は８に記載の情報通信端末。
【請求項１０】
前記検索用画面又は前記文字入力画面に入力された文字列を記憶する第３の記憶手段と、
前記第３の記憶手段に記憶されている文字列の中に、前記文字入力画面に入力される文字列に一致あるいは少なくとも一部が類似している特定文字列があるか否かを判定する判定手段と、
前記判定手段によって前記特定文字列があると判定される場合に、当該特定文字列に付加されたことのある検索用ＵＲＬと、前記文字入力画面に入力される文字列に付加される検索用ＵＲＬとを、同一グループとして記憶する第４の記憶手段とを有することを特徴とする請求項２、３、４、６、７又は８に記載の情報通信端末。
【請求項１１】
前記表示制御手段は、
前記判定手段によって前記特定文字列があると判定される場合に、
前記文字入力画面に入力される文字列に付加される検索用ＵＲＬの表示として、前記第２の記憶手段に記憶されている検索用ＵＲＬの中で前記特定文字列に付加されたことのある検索用ＵＲＬとその他のＵＲＬとの表示を異ならせることを特徴とする請求項１０に記載の情報通信端末。
【請求項１２】
サーバと情報通信端末とがネットワークを通じて接続され、前記サーバは、前記情報通信端末からの要求に応じた通信サービスを提供するようにする情報通信システムであって、
前記サーバは、
前記ネットワークを介して前記情報通信端末から送信されてきた要求を受信する受信手段と、
前記受信手段により受信した要求に応じた処理を実行する処理実行手段と、
を備え、
前記情報通信端末は、
任意のＵＲＬが割り当てられている前記サーバに対して、当該任意のＵＲＬにより接続の要求を行う接続要求手段と、
前記接続の要求を行って前記サーバに接続されたとき、検索文字列が入力可能な検索用画面を表示部に表示するように制御する表示制御手段と、
前記表示された検索用画面に係るソースコードから検索用ＵＲＬを抽出する抽出手段と、
前記抽出された検索用ＵＲＬを記憶する第２の記憶手段と、
を備えることを特徴とする情報通信システム。
【発明の詳細な説明】
【技術分野】
【０００１】
本発明は、ネットワークを介してサーバと通信を行う情報通信端末及び情報通信システムに関する。
【背景技術】
【０００２】
インターネットにおいて、任意の文字列（情報）が記されている所望のＷｅｂページを閲覧するためには、Ｗｅｂブラウザ（Ｗｅｂページを閲覧するためのアプリケーション）により、該当するＷｅｂページのＵＲＬを直接入力する方法と、検索専用のＷｅｂページ（以下、検索サイトという。）を利用する方法がある。後者に係る方法では、インターネットで提供されている任意の検索サイトに接続し、当該検索サイト内の検索文字列を入力する入力窓（テキストボックス）に任意の文字列を入力し、所定の操作（例えば、検索ボタンを押下する操作）を行うことにより、得られた検索結果の中から所望のＷｅｂページにアクセスする。
【０００３】
また、ブックマーク登録機能（所望するＷｅｂページのＵＲＬを登録しておく機能）を利用して、検索サイトを予め登録しておき、必要に応じて登録されている検索サイトを読み出して利用することもでき、ユーザの嗜好に合わせた検索サイトにおいて任意の文字列により検索することが可能である（例えば、特許文献１を参照。）。
【０００４】
また、情報通信端末において、プリセット機能を利用して予め特定の検索サイトを設定しておき、必要に応じて検索文字列を入力後、直接検索結果を得ることができ、検索サイトへの接続及び接続後の検索サイトの表示というステップを省くことができる。
【特許文献１】特開２００２−３６６５８１号公報
【発明の開示】
【発明が解決しようとする課題】
【０００５】
ところで、ブックマーク登録機能を利用する場合には、所望するＷｅｂページに辿り着くまでに、検索サイトへ接続し検索サイトを表示し、検索文字列を入力し、検索結果の表示というステップが必要であり、時間が掛かってしまう問題がある。
【０００６】
また、プリセット機能を利用する場合には、特定の検索サイトが設定されるため、当該特定の検索サイトがユーザの嗜好に合わない場合には、プリセット機能が無駄になる場合がある。
【０００７】
本発明は、検索結果の表示まで無駄な表示を省略しつつ、ユーザの嗜好に合わせた検索サイトの利用を可能にする情報通信端末及び情報通信システムを提供することを目的とする。
【課題を解決するための手段】
【０００８】
本発明に係る情報通信端末は、上記課題を解決するために、任意のＵＲＬが割り当てられているサーバに対して、当該任意のＵＲＬにより接続の要求を行う接続要求手段と、前記接続の要求を行って前記サーバに接続されたとき、検索文字列が入力可能な検索用画面を表示部に表示するように制御する表示制御手段と、前記検索用画面にて入力された当該検索文字列を含んだＵＲＬにより、当該検索文字列に基づく検索結果を要求する検索結果要求手段と、前記検索文字列を記憶する第１の記憶手段と、前記検索結果を要求する際に用いた検索文字列を含んだＵＲＬを取得する取得手段と、前記取得した検索文字列を含んだＵＲＬと、前記第１の記憶手段に記憶されている検索文字列とから、検索文字列が付加されていない検索用ＵＲＬを抽出する抽出手段と、前記抽出された検索用ＵＲＬを記憶する第２の記憶手段とを備えることを特徴とする。
【０００９】
また、上記情報通信端末では、前記検索結果要求手段は、前記検索用画面以外の文字入力画面に文字列が入力され、検索結果を要求するための操作が行われたときには、前記文字入力画面に入力されている文字列を前記第２の記憶手段に記憶されている検索用ＵＲＬに付加したＵＲＬにより、当該文字列に基づく検索結果を要求することが好ましい。
【００１０】
また、上記情報通信端末では、前記表示部に初期画面が表示されている状態において、操作キーが押下され、押下された操作キーに対応する文字列が入力される前記文字入力画面に係るアプリケーションを起動する起動手段を備え、前記検索結果要求手段は、前記起動手段により前記アプリケーションが起動されて、前記文字入力画面に文字列が入力され、検索結果を要求するための操作が行われたときには、前記文字入力画面に入力されている文字列を前記第２の記憶手段に記憶されている検索用ＵＲＬに付加したＵＲＬにより、当該文字列に基づく検索結果を要求することが好ましい。
【００１１】
また、上記情報通信端末では、前記第２の記憶手段に記憶されている複数の検索用ＵＲＬの中から一の検索用ＵＲＬを選択する選択手段を備え、前記検索結果要求手段は、前記文字入力画面に入力されている文字列を前記選択された一の検索用ＵＲＬに付加したＵＲＬにより、当該文字列に基づく検索結果を要求することが好ましい。
【００１２】
本発明に係る情報通信システムは、上記課題を解決するために、サーバと情報通信端末とがネットワークを通じて接続され、前記サーバは、前記情報通信端末からの要求に応じた通信サービスを提供する情報通信システムであって、前記サーバは、前記ネットワークを介して前記情報通信端末から送信されてきた要求を受信する受信手段と、前記受信手段により受信した要求に応じた処理を実行する処理実行手段とを備え、前記情報通信端末は、任意のＵＲＬが割り当てられている前記サーバに対して、当該任意のＵＲＬにより接続の要求を行う接続要求手段と、前記接続の要求を行って前記サーバに接続されたとき、検索文字列が入力可能な検索用画面を表示部に表示するように制御する表示制御手段と、前記検索用画面にて入力された当該検索文字列を含んだＵＲＬにより、当該検索文字列に基づく検索結果を要求する検索結果要求手段と、前記検索文字列を記憶する第１の記憶手段と、前記検索結果を要求する際に用いた検索文字列を含んだＵＲＬを取得する取得手段と、前記取得した検索文字列を含んだＵＲＬと、前記第１の記憶手段に記憶されている検索文字列とから、検索文字列が付加されていない検索用ＵＲＬを抽出する抽出手段と、前記抽出された検索用ＵＲＬを記憶する第２の記憶手段とを備えることを特徴とする。
【００１３】
本発明に係る情報通信端末は、上記課題を解決するために、任意のＵＲＬが割り当てられているサーバに対して、当該任意のＵＲＬにより接続の要求を行う接続要求手段と、前記接続の要求を行って前記サーバに接続されたとき、検索文字列が入力可能な検索用画面を表示部に表示するように制御する表示制御手段と、前記表示された検索用画面に対応するソースコードから検索用ＵＲＬを抽出する抽出手段と、前記抽出された検索用ＵＲＬを記憶する第２の記憶手段と、を備えることを特徴とする。
【００１４】
また、上記情報通信端末では、前記検索用画面に入力される検索文字列に基づく結果を要求する検索結果要求手段を有し、前記検索結果要求手段は、前記検索用画面とは異なる文字入力画面に文字列が入力され、検索結果を要求するための操作が行われたときには、前記文字入力画面に入力されている文字列を第２の記憶手段に記憶されている検索用ＵＲＬに付加したＵＲＬにより、当該文字列に基づく検索結果を要求することが好ましい。
【００１５】
また、上記情報通信端末では、前記表示部に初期画面が表示されている状態において、操作キーが押下され、押下された操作キーに対応する文字列が入力される前記文字入力画面に係るアプリケーションを起動する起動手段を備え、前記検索結果要求手段は、前記起動手段により前記アプリケーションが起動されて、前記文字入力画面に文字列が入力され、検索結果を要求するための操作が行われたときには、前記文字入力画面に入力されている文字列を前記第２の記憶手段に記憶されている検索用ＵＲＬに付加したＵＲＬより、当該文字列に基づく検索結果を要求することが好ましい。
【００１６】
また、上記情報通信端末では、前記第２の記憶手段に記憶されている複数の検索用ＵＲＬの中から一の検索用ＵＲＬを選択する選択手段を備え、前記検索結果要求手段は、前記文字入力画面に入力されている文字列を前記選択された一の検索用ＵＲＬに付加したＵＲＬにより、当該文字列に基づく検索結果を要求することが好ましい。
【００１７】
また、上記情報通信端末では、前記検索用画面又は前記文字入力画面に入力された文字列を記憶する第３の記憶手段と、前記第３の記憶手段に記憶されている文字列の中に、前記文字入力画面に入力される文字列に一致あるいは少なくとも一部が類似している特定文字列があるか否かを判定する判定手段と、前記判定手段によって前記特定文字列があると判定される場合に、当該特定文字列に付加されたことのある検索用ＵＲＬと、前記文字入力画面に入力される文字列に付加される検索用ＵＲＬとを、同一グループとして記憶する前記第４の記憶手段とを有することが好ましい。
【００１８】
また、上記情報通信端末では、前記表示制御手段は、前記判定手段によって前記特定文字列があると判定される場合に、前記文字入力画面に入力される文字列に付加される検索用ＵＲＬの表示として、前記第２の記憶手段に記憶されている検索用ＵＲＬの中で前記特定文字列に付加されたことのある検索用ＵＲＬとその他のＵＲＬとの表示を異ならせることが好ましい。
【００１９】
本発明に係る情報通信システムは、上記課題を解決するために、サーバと情報通信端末とがネットワークを通じて接続され、前記サーバは、前記情報通信端末からの要求に応じた通信サービスを提供するようにする情報通信システムであって、前記サーバは、前記ネットワークを介して前記情報通信端末から送信されてきた要求を受信する受信手段と、前記受信手段により受信した要求に応じた処理を実行する処理実行手段と、を備え、前記情報通信端末は、任意のＵＲＬが割り当てられている前記サーバに対して、当該任意のＵＲＬにより接続の要求を行う接続要求手段と、前記接続の要求を行って前記サーバに接続されたとき、検索文字列が入力可能な検索用画面を表示部に表示するように制御する表示制御手段と、前記表示された検索用画面に係るソースコードから検索用ＵＲＬを抽出する抽出手段と、前記抽出された検索用ＵＲＬを記憶する第２の記憶手段と、を備えることを特徴とする情報通信システム。
【発明の効果】
【００２０】
本発明によれば、検索結果の表示まで無駄な表示を省略しつつ、ユーザの嗜好に合わせた検索サイトの利用が可能である。
【発明を実施するための最良の形態】
【００２１】
以下、本発明の実施の形態について説明する。
まず、第１実施形態について説明する。
図１は、本発明に係る情報通信端末の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でも良い。
【００２２】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００２３】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備えて構成されている。
【００２４】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２５】
また、図２は、携帯電話装置１を折畳んだ状態の斜視図を示している。表示部側筐体部３は、折り畳んだ状態で外側に面した平面部に、時計やメールの着信等が表示されるサブＬＣＤ表示部３０が備えられている。
【００２６】
また、図３は、携帯電話装置１の機能を示す機能ブロック図である。携帯電話装置１は、図３に示すように、操作部１１（キー操作部）と、マイク１２と、メインアンテナ４０と、ＲＦ回路部４１と、ＬＣＤ制御部４２と、音声処理部４３と、メモリ４４と、制御部４５と、が操作部側筐体部２に備えられ、ＬＣＤ表示部２１（表示部）と、スピーカ２２と、ドライバＩＣ２３と、サブＬＣＤ表示部３０とが表示部側筐体部３に備えられている。
【００２７】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００２８】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知を行う。
【００２９】
ＬＣＤ制御部４２は、制御部４５の制御にしたがって、所定の画像処理を行い、処理後の画像データをドライバＩＣ２３に出力する。ドライバＩＣ２３は、ＬＣＤ制御部４２から供給された画像データをフレームメモリに蓄え、所定のタイミングでＬＣＤ表示部２１又はサブＬＣＤ表示部３０に出力する。
【００３０】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００３１】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００３２】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
【００３３】
制御部４５は、携帯電話装置１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
【００３４】
具体的には、操作部１１は、いずれかのキーが押下されたときに、当該キーの位置情報（例えば、図４（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図４（ｂ）〜図４（ｄ）に示すように、複数のキーアサインテーブルが格納されている。なお、図４（ｂ）は、電話発信を行う際に利用されるテーブルであり、図４（ｃ）は、メモ帳アプリケーションやメールアプリケーションにおいて利用されるテーブルであり、図４（ｄ）は、テレビアプリケーションにおいてチャンネルを変更する際に利用されるテーブルである。
【００３５】
なお、記号の処理の実行とは、例えば、現在アクティブになっているアプリケーションがメモ帳の場合には、「１」や「あ」をＬＣＤ表示部２１に表示することを意味している。また、機能の処理の実行とは、例えば、現在アクティブになっているアプリケーションがテレビの場合には、表示チャンネルを１ｃｈに設定することを意味している。
【００３６】
また、メモリ４４には、複数のキーアサインテーブルが格納されており、制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３７】
このように構成される携帯電話装置１では、通信の待ち受け状態において、キー操作が行われた場合に、当該キーに割り当てられている複数の記号（例えば、数字や文字）それぞれを、例えば、別々の画面領域に並列的に表示し、所定のキー操作が行われた場合に一方の記号が表示されている画面を有効にする機能を有している。また、携帯電話装置１とサーバ２０１とがネットワークを通じて接続される情報通信システム３０１（図５を参照。）においては、別々の画面領域に並列的に複数の記号が表示されている状態において、文字の変換処理を行って文字列を作成し、当該文字列を予め登録しておいた検索用ＵＲＬ（ｕｎｉｆｏｒｍ  ｒｅｓｏｕｒｃｅ  Ｌｏｃａｔｏｒ）に付加してサーバ２０１に送信し、一定の検索結果を得る機能を有している。
【００３８】
ここで、上述した機能を発揮するための構成について機能的に説明する。携帯電話装置１は、図５に示すように、接続要求部５１（接続要求手段）と、表示制御部５２（表示手段）と、検索結果要求部５３（検索結果要求手段）と、第１の記憶部５４（第１の記憶手段）と、取得部５５（取得手段）と、抽出部５６（抽出手段）と、第２の記憶部５７（第１の記憶手段）とを備える。なお、接続要求部５１と、検索結果要求部５３と、取得部５５と、抽出部５６とは、制御部４５に相当し、表示制御部５２は、ＬＣＤ制御部４２に相当し、第１の記憶部５４と、第２の記憶部５７とは、メモリ４４に相当する。
【００３９】
接続要求部５１は、任意のＵＲＬが割り当てられているサーバ２０１に対して、当該任意のＵＲＬにより接続の要求を行う。表示制御部５２は、接続要求部５１により接続の要求を行ってサーバ２０１に接続されたとき、検索文字列が入力される入力窓（以下、テキストボックスという。）を有する検索用画面をＬＣＤ表示部２１に表示するように制御する。
【００４０】
検索結果要求部５３は、テキストボックスに入力された検索文字列を含んだＵＲＬをサーバ２０１に送信し、検索文字列に基づく検索結果を要求する。第１の記憶部５４は、検索結果要求部５３により検索文字列に基づく検索結果を要求したとき、検索文字列を記憶する。
【００４１】
取得部５５は、検索結果要求部５３により検索文字列に基づく検索結果を要求したとき、サーバ２０１に送信した検索文字列を含んだＵＲＬを取得する。抽出部５６は、取得部５５により取得した検索文字列を含んだＵＲＬと、第１の記憶部５４に記憶されている検索文字列とから、検索文字列が付加されていない検索用ＵＲＬを抽出する。第２の記憶部５７は、抽出部５６により抽出された検索用ＵＲＬを記憶する。
【００４２】
また、サーバ２０１は、図５に示すように、受信部２０２（受信手段）と、処理実行部２０３（処理実行手段）とを備える。受信部２０２は、ネットワークを介して携帯電話装置１から送信されてきた要求を受信する。処理実行部２０３は、受信部２０２により受信した要求に応じた処理を実行する。
【００４３】
このように構成されることにより、携帯電話装置１を有する情報通信システム３０１は、例えば、音楽情報の管理を行っているＷｅｂサイトにアクセスし、当該Ｗｅｂサイト内で提供されているテキストボックスに文字列を入力し、当該文字列により検索を実行した場合に、検索用ＵＲＬのみを抽出し、抽出した検索用ＵＲＬを記憶（登録）することができる。また、携帯電話装置１では、記憶（登録）された検索用ＵＲＬは、任意のアプリケーションにおいて入力された文字列を引数として、サーバ２０１に送信し、当該文字列に基づく検索結果を得ることができる。
【００４４】
例えば、検索用の文字列を含んだＵＲＬは、「ｈｔｔｐ：／／ｗｗｗ．Ｕｔａ−ｔｏｐ．ｃｏｍ／ｓｅａｒｃｈ／ＡＢＣ」であり、検索用ＵＲＬは、「ｈｔｔｐ：／／ｗｗｗ．Ｕｔａ−ｔｏｐ．ｃｏｍ／ｓｅａｒｃｈ／」であり、検索用の文字列（引数）は、「ＡＢＣ」である。
【００４５】
すなわち、携帯電話装置１では、Ｗｅｂブラウザにより検索サイトを表示し、当該検索サイトに配されている検索窓に文字列を入力し、検索結果を要求する、という手順を辿らなくても、文字列を入力可能なアプリケーションを起動して文字列を入力（当該文字列が引数となる）し、その後、検索用ＵＲＬを選択するだけで、検索用の文字列を含んだＵＲＬが作成され、当該検索用の文字列を含んだＵＲＬがサーバ２０１に送信され、当該検索用の文字列に基づいた検索結果を得ることができ、検索サイトの表示を行わない分、ユーザとしては手順が減るので効率が上がり、余分な電力消費を抑えることができる。
【００４６】
＜検索用の文字列の記憶方法＞
つぎに、検索用の文字列を記憶する方法について説明する。携帯電話装置１は、図６に示すように、所定の操作によってＷｅｂブラウザを起動し、任意のＷｅｂサイトのＷｅｂページ４０１（例えば、トップページ）を閲覧し、当該Ｗｅｂページ４０１内のテキストボックス４０２に文字列（例えば、ＡＢＣ）が入力され、検索ボタン４０３が押下されたときに、当該テキストボックス４０２に入力されている文字列を記憶する。詳細には、携帯電話装置１は、Ｗｅｂページ４０１をＬＣＤ表示部２１に描画する際、テキストボックス４０２の描画位置を把握することにより、当該描画位置に存在する文字列を検索用の文字列として記憶する。
【００４７】
図６に示す例では、携帯電話装置１は、テキストボックス４０２にアーティスト名として「ＡＢＣ」が入力された後、検索ボタン４０３が押下されたときには、「ＡＢＣ」を検索用の文字列として記憶する。
【００４８】
また、Ｗｅｂブラウザにより閲覧しているＷｅｂページ内にテキストボックスが複数存在する場合には、テキストボックスよりも下側若しくは右側に位置する検索ボタンが押下された場合、当該検索ボタンに最も近い上側若しくは左側に位置するテキストボックスに入力されている文字列を検索用の文字列として記憶する。なお、携帯電話装置１では、どの検索ボタンが押下されたのかについての判定についても、描画位置の通知により判断することができる。
【００４９】
図７に示す例では、携帯電話装置１は、テキストボックス４０２ａにアーティスト名として「ＡＢＣ」が入力された後、テキストボックス４０２ａの下側に位置する検索ボタン４０３ａが押下されたときには、「ＡＢＣ」を検索用の文字列として記憶し、テキストボックス４０２ｂに曲名として「ＢＢＢ」が入力された後、テキストボックス４０２ｂの下側に位置する検索ボタン４０３ｂが押下されたときには、「ＢＢＢ」を検索用の文字列として記憶する。
【００５０】
また、携帯電話装置１は、検索に係るＷｅｂページ内のテキストボックスに文字列を入力する際には、文字編集用のエディタを起動して文字列の入力を行うため、文字の確定時に確定した文字列を検索用の文字列として記憶しても良い。
【００５１】
図８（ａ）〜（ｃ）に示す例では、携帯電話装置１は、テキストボックス４０２を選択（例えば、テキストボックス４０２にカーソルを移動し、決定操作キー１５に含まれているセンターキーを押下する）すると、文字を入力するためのエディタ４０４が起動し、アーティスト名を入力し、入力を確定するＯＫボタン４０５を押下することにより、テキストボックス４０２内に文字列（例えば、「ＡＢＣ」）が入力される。
【００５２】
＜検索用ＵＲＬの取得方法＞
つぎに、検索用ＵＲＬの取得方法について説明する。携帯電話装置１とサーバ２０１との間において、ＨＴＴＰ（ｈｙｐｅｒｔｅｘｔ  ｔｒａｎｓｆｅｒ  ｐｒｏｔｏｃｏｌ）通信が発生した場合には、携帯電話装置１は、サーバ２０１へ送信されるＧｅｔメソッド（ＨＴＴＰ  Ｇｅｔ）中のＵＲＬを取得する。そして、携帯電話装置１は、取得したＵＲＬに含まれている文字列が第１の記憶部５４に記憶されている検索文字列に一致するか否かのサーチを行い、一致する場合には、当該ＵＲＬから文字列部分を削除することにより検索用ＵＲＬのみを抽出し、抽出した検索用ＵＲＬを第２の記憶部５７に記憶する。なお、検索用ＵＲＬを第２の記憶部５７に記憶するということは、いわゆるＢｏｏｋｍａｒｋに登録することを意味する。
【００５３】
また、登録時のタイトル（登録名）は、例えば、遷移先画面のタイトル通知を用いても良い。また、Ｂｏｏｋｍａｒｋへの登録は、自動で行っても良いし、また、画面遷移後に登録の有無をユーザに確認した後に行っても良い。
【００５４】
例えば、図９に示すように、携帯電話装置１（Ｗｅｂブラウザ）は、ページの取得をするために所定のＧｅｔメソッド（ＨＴＴＰ  Ｇｅｔ）をサーバ２０１に送信する。また、サーバ２０１は、当該ＨＴＴＰ  Ｇｅｔをコンテンツサーバ５０１に送信する。コンテンツサーバ５０１は、サーバ２０１に検索結果（ＨＴＴＰ  レスポンス）を送信し、サーバ２０１は、携帯電話装置１（Ｗｅｂブラウザ）に検索結果（ＨＴＴＰ  レスポンス）を送信する。なお、Ｇｅｔメソッド（ＨＴＴＰ  Ｇｅｔ）の内容は、図９中のＡに示す。
【００５５】
取得部５５は、携帯電話装置１（Ｗｅｂブラウザ）からサーバ２０１に送信されたＧｅｔメソッドから通信開始時の接続先（ｈｔｔｐ：／／ｗｗｗ．Ｕｔａ−ｔｏｐ．ｃｏｍ／ｓｅａｒｃｈ／ＡＢＣ）を取得する。また、抽出部５６は、取得部５５で取得した通信開始時の接続先（ｈｔｔｐ：／／ｗｗｗ．Ｕｔａ−ｔｏｐ．ｃｏｍ／ｓｅａｒｃｈ／ＡＢＣ）から、上述した＜検索用の文字列の記憶方法＞により認識した検索文字列（ＡＢＣ）を削除することにより、検索用ＵＲＬ（ｈｔｔｐ：／／ｗｗｗ．Ｕｔａ−ｔｏｐ．ｃｏｍ／ｓｅａｒｃｈ／）を抽出する。すなわち、携帯電話装置１（Ｗｅｂブラウザ）は、サーバ２０１を介して直接コンテンツサーバ５０１にアクセスすることができる。
【００５６】
つぎに、検索用ＵＲＬを第２の記憶部５７に記憶（Ｂｏｏｋｍａｒｋに登録）する方法について、図１０に示すフローチャートを参照しながら説明する。
【００５７】
ステップＳ１において、携帯電話装置１（Ｗｅｂブラウザ）は、ユーザの操作に応じて、任意のＷｅｂサイトに遷移する。具体的には、Ｗｅｂブラウザは、任意の検索サイトを表示する。
【００５８】
ステップＳ２において、携帯電話装置１（Ｗｅｂブラウザ）は、遷移したＷｅｂサイトに文字の入力を行うテキストボックスが存在するか否かを判定する。存在する場合はステップＳ３に進み、存在しない場合は終了する。
【００５９】
ステップＳ３において、携帯電話装置１（Ｗｅｂブラウザ）は、検索ボタンが押下されたとき、テキストボックスに入力されている文字列を検索用の文字列として第１の記憶部５４に記憶する。
【００６０】
ステップＳ４において、携帯電話装置１（Ｗｅｂブラウザ）は、検索ボタンが押下されたとき、サーバ２０１に送信したＧｅｔメソッドに含まれている接続先のＵＲＬを取得する。
【００６１】
ステップＳ５において、携帯電話装置１（Ｗｅｂブラウザ）は、ステップＳ４の工程で取得した接続先のＵＲＬに検索用の文字列が含まれているか否かを判断する。検索用の文字列が含まれていると判断した場合には（Ｙｅｓ）、ステップＳ６に進み、検索用の文字列が含まれていないと判断した場合には（Ｎｏ）、終了する。
【００６２】
ステップＳ６において、携帯電話装置１（Ｗｅｂブラウザ）は、ステップＳ４の工程で取得した接続先のＵＲＬに含まれている文字列が、ステップＳ３の工程で記憶した検索用の文字列に一致する場合には、接続先のＵＲＬから検索用の文字列を削除する。
【００６３】
ステップＳ７において、携帯電話装置１（Ｗｅｂブラウザ）は、ステップＳ６の工程で得られたＵＲＬ（検索用ＵＲＬ）を第２の記憶部５７に記憶、すなわち、Ｂｏｏｋｍａｒｋ登録を行う。
【００６４】
このように構成されることにより、携帯電話装置１は、検索サイトを表示し、当該検索サイトに配されている検索窓に文字列を入力し、検索結果の要求を行うことにより、検索用ＵＲＬを第２の記憶部５７に記憶するので、同一の検索用ＵＲＬに対しては、次回から検索サイトの表示を行うことなく、所望する検索用の文字列に基づいた検索結果を得ることができ、検索サイトの表示を行わない分、ユーザとしては手順が減るので効率が上がり、余分な電力消費を抑えることができる。
【００６５】
また、検索結果要求部５３は、第２の記憶部５７に検索用ＵＲＬが記憶されており、テキストボックス以外の文字入力画面に文字列が入力され、検索結果を要求するための操作が行われたときには、文字入力画面に入力されている文字列を第２の記憶部５７に記憶されている検索用ＵＲＬに付加してサーバ２０１に送信し、当該文字列に基づく検索結果を要求する。
【００６６】
このように構成されることにより、携帯電話装置１は、検索サイトを表示し、当該検索サイトに配されている検索窓に文字列を入力し、検索結果の要求を行うことにより、検索用ＵＲＬを第２の記憶部５７に記憶するので、同一の検索用ＵＲＬに対しては、検索サイトに配設されているテキストボックスに検索用の文字列を入力せずに、他のエディタに入力した文字列に基づいて検索結果を得ることができ、検索サイトの表示を行わない分、ユーザとしては手順が減るので効率が上がり、余分な電力消費を抑えることができる。
【００６７】
また、携帯電話装置１は、ＬＣＤ表示部２１に初期画面が表示されている状態において、操作キーが押下され、押下された操作キーに対応する文字列が入力される文字入力画面に係るアプリケーションを起動する起動部５８（起動手段）を備える。検索結果要求部５３は、起動部５８によりアプリケーションが起動されて、文字入力画面に文字列が入力され、検索結果を要求するための操作が行われたときには、文字入力画面に入力されている文字列を第２の記憶部５７に記憶されている検索用ＵＲＬに付加してサーバ２０１に送信し、当該文字列に基づく検索結果を要求する。なお、起動部５８は、制御部４５に相当する。
【００６８】
このように構成されることにより、携帯電話装置１は、検索サイトを表示し、当該検索サイトに配されている検索窓に文字列を入力し、検索結果の要求を行うことにより、検索用ＵＲＬを第２の記憶部５７に記憶するので、同一の検索用ＵＲＬに対しては、検索サイトに配設されているテキストボックスに検索用の文字列を入力せずに、初期状態（通信の待ち受け状態）から直接入力した文字列に基づいて検索結果を得ることができ、検索サイトの表示を行わない分、ユーザとしては手順が減るので効率が上がり、余分な電力消費を抑えることができる。
【００６９】
また、携帯電話装置１は、第２の記憶部５７に記憶されている複数の検索用ＵＲＬの中から一の検索用ＵＲＬを選択する選択部５９（選択手段）を備える。検索結果要求部５３は、文字入力画面に入力されている文字列を選択部５９により選択された一の検索用ＵＲＬに付加したＵＲＬをサーバ２０１に送信し、当該文字列に基づく検索結果を要求する。なお、選択部５９は、制御部４５に相当する。
【００７０】
このように構成されることにより、携帯電話装置１は、検索サイトを表示し、当該検索サイトに配されている検索窓に文字列を入力し、検索結果の要求を行うことにより、検索用ＵＲＬを第２の記憶部５７に記憶するので、選択された検索用ＵＲＬに対して、検索サイトに配設されているテキストボックスに検索用の文字列を入力せずに、初期状態（通信の待ち受け状態）から直接入力した文字列に基づいて検索結果を得ることができ、検索サイトの表示を行わない分、ユーザとしては手順が減るので効率が上がり、余分な電力消費を抑えることができる。
【００７１】
ここで、初期状態（通信の待ち受け状態）から直接入力した文字列に基づいて検索結果を得る構成について説明する。なお、操作部１１は、第１キー（例えば、図１中Ａに示す、入力操作キー１４の第２行目から第５行目に位置するキー）と、第２キー（例えば、図１に示す、決定操作キー１５の上下キー１５ａ、１５ｂ）と、第３キー（例えば、図１に示す、機能設定操作キー１３に含まれているキー１３ａ）とを含んで構成されている。
【００７２】
また、第１キーは、第１種記号（例えば、「あ」、「い」、「う」等のひらがな）と第２種記号（例えば、「１」、「２」、「３」等の数字）とが割り当てられている複数のキーより構成されている。第２キーは、第１種記号及び第２種記号が割り当てられておらず、単一又は複数の機能（例えば、かなを漢字に変換する機能等）が割り当てられているキーである。第３キーは、第１種記号及び第２種記号が割り当てられておらず、第２キーとは異なる機能（例えば、アプリケーションを選択するためのメニューの表示機能等）が割り当てられているキーである。
【００７３】
制御部４５は、着信を待ち受ける初期画面１００をＬＣＤ表示部２１に表示させている状態において（図１１（ａ））、第１キーのいずれかのキーが押下されたときには、押下された当該キーに割り当てられている第１種記号と、押下された当該キーに割り当てられている第２種記号とをＬＣＤ表示部２１に表示するように制御する（図１１（ｂ）、（ｃ））。具体的には、制御部４５は、第１種記号を第１種記号表示領域１０１に表示し、第２種記号を第２種記号表示領域１０２に表示するように制御する。また、第１種記号とは、例えば、「あ」、「い」、「う」等のひらがなや、「Ａ」、「Ｂ」、「Ｃ」等のローマ字に相当する記号である。第２種記号とは、例えば、「１」、「２」、「３」等の数字に相当する記号である。
【００７４】
また、制御部４５は、ＬＣＤ表示部２１に第１種記号及び第２種記号を表示するように制御しているときに、第２キーが押下された場合には、（第１種記号表示領域１０１に入力されている）第１種記号に対する変換処理（例えば、かなを漢字に変換する処理）を実行する（図１１（ｄ））。その後、第３キー（キー１３ａ）が押下されてアプリケーションを選択するためのメニューが表示され（図１１（ｅ））、メニューに含まれている一の検索用ＵＲＬが選択された場合、制御部４５（検索結果要求部５３）は、当該変換処理により作成された文字列を検索用の文字列として、選択された検索用ＵＲＬに付加してサーバ２０１に送信し、当該文字列に基づく検索結果を要求する。そして、携帯電話装置１は、サーバ２０１から送信されてきた検索結果を表示する（図１１（ｆ））。
【００７５】
つぎに、登録されている検索用ＵＲＬを用いて検索結果を要求する手順について、図１２に示すフローチャートを参照しながら説明する。
【００７６】
ステップＳ１１において、携帯電話装置１は、任意の箇所で文字列の認識を行う。
【００７７】
ステップＳ１２において、携帯電話装置１は、第２の記憶部５７に記憶されている検索用ＵＲＬを選択する。
【００７８】
ステップＳ１３において、携帯電話装置１は、ステップＳ１の工程で確定した文字列を引数とし、ステップＳ１２の工程で選択した検索用ＵＲＬに付加したＵＲＬをサーバ２０１に送信する。
【００７９】
ステップＳ１４において、携帯電話装置１は、サーバ２０１から受信した検索結果を表示する。
【００８０】
ここで、図１１に示す例においては、制御部４５は、初期画面１００（図１１（ａ））において、「２」と「か」が表面に印刷されているキーが１回押下された場合には、第１種記号が表示される第１種記号表示領域１０１に「か」を表示するよう制御し、同時に、第２種記号が表示される第２種記号表示領域１０２に「２」を表示するように制御する（図１１（ｂ））。また、制御部４５は、カーソルの移動操作（入力操作キー１４の右キー）後、「２」と「か」が表面に印刷されているキーが２回連続押下され、さらに、カーソルの移動操作（入力操作キー１４の右キー）後、「２」と「か」が表面に印刷されているキーが３回連続押下された場合には、第１種記号が表示される第１種記号表示領域１０１に「かきく」を表示するよう制御し、同時に、第２種記号が表示される第２種記号表示領域１０２に「２２２２２２」を表示するように制御する（図１１（ｃ））。
【００８１】
次に、決定操作キー１５の上下キー１５ａ、１５ｂが押下された場合には、制御部４５は、かなを変換する処理を実行し、第１種記号表示領域１０１が表示画面中で拡大して表示される。図１１（ｄ）に示す例では、「かきく」が「ＡＢＣ」に変換される。詳細には、決定操作キー１５の上下キー１５ａ、１５ｂが押下されて「ＡＢＣ」と変換された後に、文字の確定操作（例えば、決定操作キー１５に含まれているセンターキーの押下）により「ＡＢＣ」が入力文字として確定する。
【００８２】
また、携帯電話装置１は、「ＡＢＣ」が入力文字として確定している状態において、第３キー（キー１３ａ）が押下されてアプリケーションを選択するためのメニューが表示される（図１１（ｅ））。そして、携帯電話装置１は、メニューに含まれている一の検索用ＵＲＬが選択された場合、「ＡＢＣ」を検索用の文字列として、選択された検索用ＵＲＬに付加したＵＲＬをサーバ２０１に送信し、当該文字列に基づく検索結果を要求する。そして、携帯電話装置１は、サーバ２０１から送信されてきた検索結果を表示する（図１１（ｆ））。
【００８３】
このように構成されることにより、携帯電話装置１は、検索サイトにおける検索用のトップページを表示し、当該トップページに配されている検索窓に文字列を入力し、検索結果の要求を行うことにより、検索用ＵＲＬを第２の記憶部５７に記憶するので、選択された検索用ＵＲＬに対して、当該トップページに配されているテキストボックスに検索用の文字列を入力せずに、初期状態（通信の待ち受け状態）から直接入力した文字列に基づいて検索結果を得ることができるので、検索サイトの表示を行わない分だけ、ユーザとしては手順が減るので検索に係る効率が上がり、また、余分な電力消費を抑えることができる。
【００８４】
次に、本発明の第２実施形態について説明する。
図１３は、第２実施形態の携帯電話装置の機能を示すブロック図である。なお、図５に示す、第１実施形態の携帯電話装置の機能と同一機能のものについては同一の符号を付して、詳細な説明は省略する。
第２実施形態の携帯電話装置１は、図１３に示すように、接続要求部５１（接続要求手段）と、表示制御部５２（表示手段）と、検索結果要求部５３（検索結果要求手段）と、第１の記憶部５４と、抽出部５６（抽出手段）と、第２の記憶部５７（第２の記憶手段）とを備える。なお、接続要求部５１と、検索結果要求部５３と、抽出部５６とは、制御部４５に相当し、表示制御部５２は、ＬＣＤ制御部４２に相当し、第１の記憶部５４と、第２の記憶部５７とは、メモリ４４に相当する。
【００８５】
接続要求部５１は、任意のＵＲＬが割り当てられているサーバ２０１に対して、当該任意のＵＲＬにより接続の要求を行う。接続要求部５１により接続の要求を行ってサーバ２０１に接続されたとき、サーバ２０１からは、検索用画面を表示させるためのソースコードが送信される。表示制御部５２は、サーバ２０１からのソースコードに基づいて、検索文字列が入力される入力窓（以下、テキストボックスという。）を有する検索用画面をＬＣＤ表示部２１に表示するように制御する。この時、抽出部５６は、ソースコードから検索用ＵＲＬを抽出し、抽出された検索用ＵＲＬを第２の記憶部５７に記憶する。
【００８６】
検索結果要求部５３は、テキストボックスに入力された検索文字列を含んだＵＲＬをサーバ２０１に送信し、検索文字列に基づく検索結果を要求する。第１の記憶部５４は、検索結果要求部５３により検索文字列に基づく検索結果を要求したとき、検索文字列を記憶する。
【００８７】
また、サーバ２０１は、図５に示すように、受信部２０２（受信手段）と、処理実行部２０３（処理実行手段）とを備える。受信部２０２は、ネットワークを介して携帯電話装置１から送信されてきた要求を受信する。処理実行部２０３は、受信部２０２により受信した要求に応じた処理を実行する。
【００８８】
このように構成されることにより、携帯電話装置１を有する情報通信システム３０１は、例えば、音楽情報の管理を行っているＷｅｂサイトにアクセスし、当該Ｗｅｂサイトを表示するためのソースコードから検索用ＵＲＬを抽出し、抽出した検索用ＵＲＬを記憶（登録）することができる。また、携帯電話装置１では、記憶（登録）された検索用ＵＲＬは、任意のアプリケーションにおいて入力された文字列を引数として、サーバ２０１に送信し、当該文字列に基づく検索結果を得ることができる。
【００８９】
すなわち、携帯電話装置１では、Ｗｅｂブラウザにより検索サイトを表示し、当該検索サイトに配されている検索窓に文字列を入力し、検索結果を要求する、という手順を辿らなくても、文字列を入力可能なアプリケーションを起動して文字列を入力（当該文字列が引数となる）し、その後、検索用ＵＲＬを選択するだけで、検索用の文字列を含んだＵＲＬが作成され、当該検索用の文字列を含んだＵＲＬがサーバ２０１に送信され、当該検索用の文字列に基づいた検索結果を得ることができ、検索サイトの表示を行わない分、ユーザとしては手順が減るので効率が上がり、余分な電力消費を抑えることができる。
【００９０】
＜検索用ＵＲＬの取得方法＞
つぎに、第２実施形態における検索用ＵＲＬの取得方法及び検索用ＵＲＬを第２の記憶部５７に記憶（Ｂｏｏｋｍａｒｋに登録）する方法について、図１５に示すフローチャートを参照しながら説明する。
【００９１】
ステップＳ２１において、携帯電話装置１（Ｗｅｂブラウザ）は、ユーザの操作に応じて、任意のＷｅｂサイトに遷移する。
【００９２】
ステップＳ２２において、携帯電話装置１（Ｗｅｂブラウザ）は、サーバからの受信データ、特に、検索サイトの画面を表示させるためのＨＴＭＬ言語からなるソースコードを解析し、ＦＯＲＭ指定が存在するか否かを判定する。ＦＯＲＭ指定が存在する場合はステップＳ２３に進み、ＦＯＲＭ指定が存在しない場合は終了する。
【００９３】
ステップＳ２３において、携帯電話装置１（Ｗｅｂブラウザ）は、ＦＯＲＭ指定内に「ｔｅｘｔ」入力指定が存在するか否かを判定する。ｔｅｘｔ入力指定が存在する場合はステップＳ２４に進み、ｔｅｘｔ入力指定が存在しない場合は終了する。
【００９４】
ステップＳ２４において、携帯電話装置１（Ｗｅｂブラウザ）は、ＦＯＲＭにおいてＡｃｔｉｏｎ指定されている文字列を抽出する。
【００９５】
ステップＳ２５において、携帯電話装置１（Ｗｅｂブラウザ）は、Ａｃｔｉｏｎ指定の文字列がＵＲＬである否かを判定する。Ａｃｔｉｏｎ指定の文字列がＵＲＬであれば携帯電話装置１（Ｗｅｂブラウザ）は、ＦＯＲＭにおいてＡｃｔｉｏｎ指定されている文字列を抽出する。
【００９６】
ステップＳ２６において、携帯電話装置１（Ｗｅｂブラウザ）は、ステップＳ２５の工程で得られたＡｃｔｉｏｎ指定されている文字列、すなわちＵＲＬ（検索用ＵＲＬ）を第２の記憶部５７に記憶、すなわち、Ｂｏｏｋｍａｒｋ登録を行う。
【００９７】
このように構成されることにより、通常、ユーザが知り得ない検索用ＵＲＬを、検索用画面に係るソースコードから抽出することができるため、例えば、図７（ｂ）に示すように、１つの検索用画面に複数の検索用ＵＲＬがあった場合に、これらの検索用ＵＲＬを効率よく抽出して記憶することが可能になる。
【００９８】
また、検索結果要求部５３は、第２の記憶部５７に検索用ＵＲＬが記憶されており、テキストボックス以外の文字入力画面に文字列が入力され、検索結果を要求するための操作が行われたときには、文字入力画面に入力されている文字列を第２の記憶部５７に記憶されている検索用ＵＲＬに付加してサーバ２０１に送信し、当該文字列に基づく検索結果を要求する。
【００９９】
このように構成されることにより、携帯電話装置１は、検索サイトを表示し、当該検索サイトに配されている検索窓に文字列を入力し、検索結果の要求を行うことにより、検索用ＵＲＬを第２の記憶部５７に記憶するので、同一の検索用ＵＲＬに対しては、検索サイトに配設されているテキストボックスに検索用の文字列を入力せずに、他のエディタに入力した文字列に基づいて検索結果を得ることができ、検索サイトの表示を行わない分、ユーザとしては手順が減るので効率が上がり、余分な電力消費を抑えることができる。
【０１００】
また、携帯電話装置１は、ＬＣＤ表示部２１に初期画面が表示されている状態において、操作キーが押下され、押下された操作キーに対応する文字列が入力される文字入力画面に係るアプリケーションを起動する起動部５８（起動手段）を備える。検索結果要求部５３は、起動部５８によりアプリケーションが起動されて、文字入力画面に文字列が入力され、検索結果を要求するための操作が行われたときには、文字入力画面に入力されている文字列を第２の記憶部５７に記憶されている検索用ＵＲＬに付加してサーバ２０１に送信し、当該文字列に基づく検索結果を要求する。なお、起動部５８は、制御部４５に相当する。
【０１０１】
このように構成されることにより、携帯電話装置１は、検索サイトを表示し、当該検索サイトに配されている検索窓に文字列を入力し、検索結果の要求を行うことにより、検索用ＵＲＬを第２の記憶部５７に記憶するので、同一の検索用ＵＲＬに対しては、検索サイトに配設されているテキストボックスに検索用の文字列を入力せずに、初期状態（通信の待ち受け状態）から直接入力した文字列に基づいて検索結果を得ることができ、検索サイトの表示を行わない分、ユーザとしては手順が減るので効率が上がり、余分な電力消費を抑えることができる。
【０１０２】
また、携帯電話装置１は、第２の記憶部５７に記憶されている複数の検索用ＵＲＬの中から一の検索用ＵＲＬを選択する選択部５９（選択手段）を備える。検索結果要求部５３は、文字入力画面に入力されている文字列を選択部５９により選択された一の検索用ＵＲＬに付加したＵＲＬをサーバ２０１に送信し、当該文字列に基づく検索結果を要求する。なお、選択部５９は、制御部４５に相当する。
【０１０３】
このように構成されることにより、携帯電話装置１は、検索サイトを表示し、当該検索サイトに配されている検索窓に文字列を入力し、検索結果の要求を行うことにより、検索用ＵＲＬを第２の記憶部５７に記憶するので、選択された検索用ＵＲＬに対して、検索サイトに配設されているテキストボックスに検索用の文字列を入力せずに、初期状態（通信の待ち受け状態）から直接入力した文字列に基づいて検索結果を得ることができ、検索サイトの表示を行わない分、ユーザとしては手順が減るので効率が上がり、余分な電力消費を抑えることができる。
【０１０４】
ここで、初期状態（通信の待ち受け状態）から直接入力した文字列に基づいて検索結果を得る構成について説明する。なお、操作部１１は、第１キー（例えば、図１中Ａに示す、入力操作キー１４の第２行目から第５行目に位置するキー）と、第２キー（例えば、図１に示す、決定操作キー１５の上下キー１５ａ、１５ｂ）と、第３キー（例えば、図１に示す、機能設定操作キー１３に含まれているキー１３ａ）とを含んで構成されている。
【０１０５】
また、第１キーは、第１種記号（例えば、「あ」、「い」、「う」等のひらがな）と第２種記号（例えば、「１」、「２」、「３」等の数字）とが割り当てられている複数のキーより構成されている。第２キーは、第１種記号及び第２種記号が割り当てられておらず、単一又は複数の機能（例えば、かなを漢字に変換する機能等）が割り当てられているキーである。第３キーは、第１種記号及び第２種記号が割り当てられておらず、第２キーとは異なる機能（例えば、アプリケーションを選択するためのメニューの表示機能等）が割り当てられているキーである。
【０１０６】
制御部４５は、着信を待ち受ける初期画面１００をＬＣＤ表示部２１に表示させている状態において（図１１（ａ））、第１キーのいずれかのキーが押下されたときには、押下された当該キーに割り当てられている第１種記号と、押下された当該キーに割り当てられている第２種記号とをＬＣＤ表示部２１に表示するように制御する（図１１（ｂ）、（ｃ））。具体的には、制御部４５は、第１種記号を第１種記号表示領域１０１に表示し、第２種記号を第２種記号表示領域１０２に表示するように制御する。また、第１種記号とは、例えば、「あ」、「い」、「う」等のひらがなや、「Ａ」、「Ｂ」、「Ｃ」等のローマ字に相当する記号である。第２種記号とは、例えば、「１」、「２」、「３」等の数字に相当する記号である。
【０１０７】
また、制御部４５は、ＬＣＤ表示部２１に第１種記号及び第２種記号を表示するように制御しているときに、第２キーが押下された場合には、（第１種記号表示領域１０１に入力されている）第１種記号に対する変換処理（例えば、かなを漢字に変換する処理）を実行する（図１１（ｄ））。その後、第３キー（キー１３ａ）が押下されてアプリケーションを選択するためのメニューが表示され（図１１（ｅ））、メニューに含まれている一の検索用ＵＲＬが選択された場合、制御部４５（検索結果要求部５３）は、当該変換処理により作成された文字列を検索用の文字列として、選択された検索用ＵＲＬに付加してサーバ２０１に送信し、当該文字列に基づく検索結果を要求する。そして、携帯電話装置１は、サーバ２０１から送信されてきた検索結果を表示する（図１１（ｆ））。
【０１０８】
次に、本発明の第３実施形態について説明する。
図１４は、第３実施形態の携帯電話装置の機能を示すブロック図である。なお、図５に示す第１実施形態、図１３に示す第２実施形態の携帯電話装置の機能と同一機能のものについては同一の符号を付して、詳細な説明は省略する。
【０１０９】
第３実施形態の携帯電話装置１は、図１４に示すように、制御部４５と、表示制御部５２（表示手段）と、第１の記憶部５４（第１の記憶手段）と、第２の記憶部５７（第２の記憶手段）と、第３の記憶部６０（第３の記憶手段）と、第４の記憶部６１（第４の記憶手段）と、判断部６２（判断手段）を備える。なお、制御部４５は、図５に示す第１実施形態又は図１３に示す第２実施形態に示す制御部４５と同じ機能であり、さらに判断部６２の機能が付加されている。表示制御部５２は、ＬＣＤ制御部４２に相当し、第１の記憶部５４と、第２の記憶部５７と、第３の記憶部６０と、第４の記憶部６１とは、メモリ４４に相当する。
【０１１０】
第３の記憶部６０には、検索画面及び文字入力画面において入力された文字列が累積記録される。具体的には、図５に示すテキストボックス４０２に入力された文字列及び図４（ｂ）に示す第１種記号表示領域１０１に入力された文字列が順番に記憶される。
【０１１１】
第４の記憶部６１には、検索画面及び文字入力画面において入力された文字列に付加された検索用ＵＲＬが、文字列に関連付けて累積記憶される。また、検索用ＵＲＬを第４の記憶部６１に記憶する際に、付属データを追加して記憶される。付属データとしては、例えば、検索用ＵＲＬに検索画面及び文字入力画面において入力された文字列を付加してサーバ２０１に送信した時の時刻データや、検索用ＵＲＬごとにおけるサーバ２０１への送信に用いられた回数を示す回数データといったものが記憶される。
【０１１２】
判断部６２は、検索画面及び文字入力画面において入力された文字列が、第３の記憶部６０に記憶されているか否かを判断するものである。入力された文字列が第３の記憶部６０に記憶されていると判断部６２が判断した場合には、第４の記憶部６１に記憶されている付属データを更新する。入力された文字列が第３の記憶部６０に記憶されていると判断部６２が判断しない場合には、第３の記憶部６０に文字列を累積記憶するとともに、第４の記憶部６１に、文字列と文字列に付加された検索用ＵＲＬとを関連付けて累積記憶される。
【０１１３】
具体的には、携帯電話装置１において、過去に検索したことがない文字列Ａが入力され、文字列Ａを検索用ＵＲＬ（１）に付加してサーバ２０１に送信した場合には、文字列Ａが第３の記憶部６０に記憶されるとともに、第４の記憶部６１に、文字列Ａというグループが新たに作成され、そのグループ内に検索用ＵＲＬ（１）が記憶される。その後、文字列Ａを検索用ＵＲＬ（１）に付加してサーバ２０１に送信した場合には、検索用ＵＲＬ（１）に付属している時刻データ及び回数データが更新される。また、文字列Ａを検索用ＵＲＬ（１）とは異なる検索用ＵＲＬ（２）に付加してサーバ２０１に送信した場合には、文字列Ａのグループに検索用ＵＲＬ（２）が時刻データ及び回数データとともに新規に記憶される。また、文字列Ａとは異なる文字列Ｂを検索用ＵＲＬ（１）に付加してサーバ２０１に送信した場合には、文字列Ｂが第３の記憶部６０に記憶されるとともに、第４の記憶部６１に、文字列Ｂというグループが新たに作成され、そのグループ内に検索用ＵＲＬ（１）が記憶される。
【０１１４】
また、文字列Ａとは異なる文字列であるが関連性が強い文字列Ａ’を検索用ＵＲＬ（１）に付加してサーバ２０１に送信した場合に、判断部６２は、文字列Ａ’が文字列Ａの類似範囲に入っているか否かを判定し、類似範囲に入っていると判定した場合には、第４の記憶部６１における文字列Ａのグループに検索用ＵＲＬ（１）が記憶される。類似範囲に入っていると判定しない場合には、第４の記憶部６１に文字列Ａ’というグループが新たに作成され、そのグループ内に検索用ＵＲＬ（１）が記憶される。
【０１１５】
ここで、類似範囲ついては、具体的には、文字列Ａと文字列Ａ’が「文字コードが同一」、「片仮名、平仮名での発音が同一」、「略語（京都セラミックと京セラ）」、「メモリに同一と記憶されている」といった条件を満たしている、といった条件を満たしている場合には、類似範囲とするがこれに限らない。
【０１１６】
図１６は、第３実施形態の携帯電話装置１の画面表示例を示す説明図である。例えば、Ｂｏｏｋｍａｒｋ登録されたデータの中に「検索用ＵＲＬ１」、「検索用ＵＲＬ２」、・・・、「検索用ＵＲＬｎ」という検索用ＵＲＬとともに、「検索用ＵＲＬα」及び「検索ＵＲＬβ」が登録されているとする。また、携帯電話装置１のユーザが、「ＡＢＣ」という検索文字列を入力して、「検索用ＵＲＬα」のサイトと、「検索用ＵＲＬβ」のサイトに遷移したことがあったものとする。この場合、第３の記憶部６０には「ＡＢＣ」という文字列が入力履歴として記憶され、第４の記憶部６１には「ＡＢＣ」というグループの中に、「検索用ＵＲＬα」及び「検索ＵＲＬβ」が属するように記憶されていることになる。
【０１１７】
制御部４５は、着信を待ち受ける初期画面１００をＬＣＤ表示部２１に表示させている状態において（図１６（ａ））、第１キーのいずれかのキーが押下されたときには、押下された当該キーに割り当てられている第１種記号と、制御部４５は押下された当該キーに割り当てられている第２種記号とをＬＣＤ表示部２１に表示するように制御する（図１６（ｂ））。具体的には、第１種記号表示領域１０１に「かきく」という文字列を表示させて、変換操作を行うことになり、「かきく」という文字列の表示画面の下方に、「かきく」という文字列に対応する変換候補が表示される。変換候補が複数ある場合には、複数表示される。ここで、表示された変換候補の中に、第３の記憶部６０に記憶された文字列が存在している場合には、その文字列を他の文字列とは異なるように表示する。具体的には、第１種記号表示領域１０１に「かきく」という文字列を表示させて、変換操作を行うことにより、「ＡＢＣ」という文字列が表示される。この「ＡＢＣ」という文字列は、第３の記憶部６０に記憶されているため、「ＡＢＣ」という文字列は太字にして強調表示される。ユーザはこの表示を見ることにより、「ＡＢＣ」という文字列で検索したことがあるということが認識できるようになる（図１６（ｃ））。そして、制御部４５は、第１種記号表示領域１０１に「ＡＢＣ」という文字列を表示させたものとする（図１６（ｄ））。その後、第３キーが押下された場合には、アプリケーションを選択するためのメニューが表示される（図１６（ｅ））。
【０１１８】
図１６（ｅ）に示すように、メニューには複数の検索用ＵＲＬが表示されており、「ＡＢＣ」文字列に関連付けられて第４の記憶部６１に記憶されている「検索用ＵＲＬα」と、「検索ＵＲＬβ」がメニューの上位の位置に表示されている。さらに、「検索用ＵＲＬα」と、「検索用ＵＲＬβ」の下位に、「検索用ＵＲＬα」と、「検索用ＵＲＬβ」以外の他の検索用ＵＲＬ、例えば「検索用ＵＲＬ１」が表示されている。しかも、「検索用ＵＲＬα」と、「検索用ＵＲＬβ」は太く表示されており、「検索用ＵＲＬ１」とは見た目で異なっていることが視認可能な態様で表示されている。また、太く表示されている検索用ＵＲＬの順序については、付属データに基づいて検索日時順あるいは検索回数順に並べ直すことが可能になる。
【０１１９】
このように構成されることにより、初期状態（通信の待ち受け状態）から直接入力した文字列に基づいて検索結果を得ることができるので、検索サイトの表示を行わない分だけ、ユーザとしては手順が減るので検索に係る効率が上がり、また、余分な電力消費を抑えることができる。しかも、かつて直接入力した文字列によって表示されたサイトの検索用ＵＲＬがメニュー表示されるため、ユーザとしてはさらに手順が減るようになり、検索に係る効率が向上するようになる。
【０１２０】
以前入力された文字列に付加された検索用ＵＲＬと新たに入力される以前入力された文字列と同一の文宇列に付加される検索用ＵＲＬは同一の種類（グループ）として記憶されるため、検索用ＵＲＬの分類が自動で行うことが可能となる。その結果、ユーザが指定する可能性が高い検索用ＵＲＬを優先して表示させることが可能となり、検索に係る効率が向上するようになる。
【０１２１】
また、新たに入力された文字列が過去に入力した文字列と同一あるいは類似しているのであれば、同一文字列で過去に付加した検索用ＵＲＬ及びこれと同一の種類として記憶している検索用ＵＲＬと、他の検索用ＵＲＬの表示とを異ならせることにより、ユーザーフレンドリーな検索用ＵＲＬの付加が可能となる。
【０１２２】
また、本実施例においては、検索サイトにおける検索用のトップページの表示を省略することについて述べたが、本発明はこれに限られず、例えば、ユーザＩＤとパスワードにより会員制のＷｅｂサイトを閲覧するような場合にも利用することができる。この場合には、エディタにユーザＩＤとパスワードを入力し、メニューから閲覧したいＷｅｂサイトを選択したとき、通常のユーザＩＤとパスワードを入力するユーザ認証のためのページを表示することなくユーザ認証を行わせることができる。また、ユーザＩＤを入力してメニューから閲覧したいＷｅｂサイトを選択した後に、パスワードの入力を促すようにすることもできる。ここで、エディタの起動は、外部接続を伴わないため通信代が掛からず、ユーザ認証のページを閲覧するための通信代を省略することができる。
【０１２３】
また、図４に示したキーアサインの方法は、一例であって本方法に限定されることはない。
【図面の簡単な説明】
【０１２４】
【図１】本発明の実施形態における携帯電話装置の外観斜視図である。
【図２】携帯電話装置を折畳んだ状態の斜視図である。
【図３】携帯電話装置の機能を示すブロック図である。
【図４】キーアサインについての説明に供する図である。
【図５】本発明の第１実施形態における本発明に係る機能を実現するための携帯電話装置の機能を示すブロック図である。
【図６】検索用の文字列の記憶方法の説明に供する図である。
【図７】検索用の文字列の記憶方法の説明に供する図である。
【図８】検索用の文字列の記憶方法の説明に供する図である。
【図９】Ｗｅｂブラウザとサーバとの間における接続シークエンスを示す図である。
【図１０】検索用ＵＲＬをＢｏｏｋｍａｒｋに登録する方法についての手順を示すフローチャートである。
【図１１】初期画面から検索用の文字列を入力し、所望するＷｅｂページを表示するまでの流れについての説明に供する図である。
【図１２】登録されている検索用ＵＲＬを用いて検索結果を要求する手順についての説明に供するフローチャートである。
【図１３】本発明の第２実施形態における本発明に係る機能を実現するための携帯電話装置の機能を示すブロック図である。
【図１４】本発明の第３実施形態における本発明に係る機能を実現するための携帯電話装置の機能を示すブロック図である。
【図１５】検索用ＵＲＬをＢｏｏｋｍａｒｋに登録する方法についての手順を示すフローチャートである。
【図１６】初期画面から検索用の文字列を入力し、所望するＷｅｂページを表示するまでの流れについての説明に供する図である。
【符号の説明】
【０１２５】
１  携帯電話装置
１１  操作部（キー操作部）
２１  ＬＣＤ表示部（表示部）
４４  メモリ
４５  制御部
５１  接続要求部（接続要求手段）
５２  表示制御部（表示制御手段）
５３  検索結果要求部（検索結果要求手段）
５４  第１の記憶部（第１の記憶手段）
５５  取得部（取得手段）
５６  抽出部（抽出手段）
５７  第２の記憶部（第２の記憶手段）
５８  起動部（起動手段）
５９  選択部（選択手段）
６０  第３の記憶部（第３の記憶手段）
６１  第４の記憶部（第４の記憶手段）
６２  判断部（判断手段）
１００  初期画面
１０１  第１種記号表示領域
１０２  第２種記号表示領域
２０１  サーバ
２０２  受信部（受信手段）
２０３  処理実行部（処理実行手段）
３０１  情報通信システム
【図１】
2010079870.tif 000003
【図２】
2010079870.tif 000004
【図３】
2010079870.tif 000005
【図４】
2010079870.tif 000006
【図５】
2010079870.tif 000007
【図６】
2010079870.tif 000008
【図７】
2010079870.tif 000009
【図８】
2010079870.tif 000010
【図９】
2010079870.tif 000011
【図１０】
2010079870.tif 000012
【図１１】
2010079870.tif 000013
【図１２】
2010079870.tif 000014
【図１３】
2010079870.tif 000015
【図１４】
2010079870.tif 000016
【図１５】
2010079870.tif 000017
【図１６】
2010079870.tif 000018